【手続補正書】
【提出日】平成24年11月27日(2012.11.27)
【手続補正１】
【補正対象書類名】明細書
【補正対象項目名】００６５
【補正方法】変更
【補正の内容】
【００６５】
以下に記載の実施例は、本発明を更に説明することを意図しているが、本発明はそれら実施例に限定されない。
本発明の好ましい態様は、以下を包含する。
〔１〕順に重ねられ一緒に結合された少なくとも２つのポリマーフィルムを含んでなるフェロエレクトレット多層複合材料であって、ポリマーフィルムの間にボイドが形成され、ボイドが管状チャンネルであることを特徴とする、フェロエレクトレット多層複合材料。
〔２〕ボイドが互いに平行に伸びる管状チャンネルであることを特徴とする、上記〔１〕に記載のフェロエレクトレット多層複合材料。
〔３〕ポリマーフィルムが、ポリカーボネート、フッ素化ポリマーおよびフッ素化コポリマー、ポリエステル、ポリイミド、ポリメチルメタクリレート、シクロオレフィンポリマー、シクロオレフィンコポリマーおよびポリプロピレンからなる群から選択される同じまたは異なったポリマー材料からなることを特徴とする、上記〔１〕に記載のフェロエレクトレット多層複合材料。
〔４〕３つ以上のポリマーフィルムが順に重ねられて一緒に結合され、ポリマーフィルムの間の管状チャンネルが、順に重ねられた層において互いに平行にまたは垂直に配置されていることを特徴とする、上記〔１〕に記載のフェロエレクトレット多層複合材料。
〔５〕チャンネル（３）が両方の終端で開いているか、或いは一方または両方の終端で閉じていることを特徴とする、上記〔１〕に記載のフェロエレクトレット多層複合材料。
〔６〕導電被膜が、ポリマーフィルムの外面に少なくとも部分的に適用されていることを特徴とする、上記〔１〕に記載のフェロエレクトレット多層複合材料。
〔７〕ａ）第一ポリマーフィルム、第二ポリマーフィルムおよびその間に配置されたマスク層を含有する積重ね層を供給する工程であって、積重ね層の中でマスクが溝によって互いに離れて配置された１つ以上の平行なうねを有し、うねが少なくとも一方の終端で結合されていないかまたは分離可能なように結合され、マスクが一方または両方の終端で積重ね層から突出している、積重ね層を供給する工程、
ｂ）工程ａ）で製造された積重ね層を積層し、ポリマーフィルムを結合してポリマーフィルム複合材料を形成する工程、
ｃ）任意に、一方の終端でマスクのうねを分離する工程、
ｄ）マスクをポリマーフィルム複合材料から引き抜くことによって、マスクをポリマーフィルム複合材料から取り除く工程、
ｅ）工程ｄ）で開通した管状チャンネルの内面を反対電荷で帯電させる工程
を特徴とする、平行管状チャンネルを有するフェロエレクトレット多層複合材料の製造方法。
〔８〕工程ｅ）においてチャンネルの内面を帯電させる前および／または後に、ポリマー複合材料の外面に電極を適用することを特徴とする、上記〔７〕に記載の方法。
〔９〕工程ａ）において、積重ね層が、１つ以上の付加的なポリマーフィルムおよび１つ以上のマスク層を含有し、積重ね層の外側層がポリマーフィルムによって形成されていることを特徴とする、上記〔７〕に記載の方法。
〔１０〕付加的なポリマーフィルムおよびマスク層を、積重ね層において交互に配置することを特徴とする、上記〔９〕に記載の方法。
〔１１〕マスクのうねが一方の終端で結合されておらず、工程ａ）、ｂ）およびｄ）を連続ロール・ツー・ロール製法として実施することを特徴とする、上記〔７〕に記載に記載の方法。
〔１２〕上記〔１〕〜〔６〕のいずれかに記載のフェロエレクトレット多層複合材料を含有する圧電素子。
〔１３〕センサー素子またはアクチュエーター素子であることを特徴とする、上記〔１２〕に記載の圧電素子。
〔１４〕管状チャンネルを形成する手段を含んでなることを特徴とする、上記〔１〕に記載のフェロエレクトレット多層複合材料を製造するための装置。
〔１５〕少なくとも以下の構成要素：
ａ．積層装置、
ｂ．溝によって互いに離れて配置された２つ以上の平行なうねを有するマスクであって、うねが積層装置の内部に少なくとも部分的に配置されているマスク、
ｃ．積重ね層を形成するために、少なくとも１つのポリマーフィルムをマスクの上方に、そして少なくとも１つのポリマーフィルムをマスクの下方に連続供給するための供給装置を各々の場合において１つ以上、および
ｄ．供給装置に面する終端で一緒に結合し、反対端で互いに分離している、マスクのうね
を含むことを特徴とする、上記〔７〕または〔１１〕に記載の方法を実施するための装置。
【手続補正２】
【補正対象書類名】特許請求の範囲
【補正対象項目名】全文
【補正方法】変更
【補正の内容】
【特許請求の範囲】
【請求項１】
順に重ねられ一緒に結合された少なくとも２つのポリマーフィルムを含んでなるフェロエレクトレット多層複合材料であって、ポリマーフィルムの間にボイドが形成され、ボイドが管状チャンネルであることを特徴とする、フェロエレクトレット多層複合材料。
【請求項２】
ボイドが互いに平行に伸びる管状チャンネルであることを特徴とする、請求項１に記載のフェロエレクトレット多層複合材料。
【請求項３】
ポリマーフィルムが、ポリカーボネート、フッ素化ポリマーおよびフッ素化コポリマー、ポリエステル、ポリイミド、ポリメチルメタクリレート、シクロオレフィンポリマー、シクロオレフィンコポリマーおよびポリプロピレンからなる群から選択される同じまたは異なったポリマー材料からなることを特徴とする、請求項１に記載のフェロエレクトレット多層複合材料。
【請求項４】
３つ以上のポリマーフィルムが順に重ねられて一緒に結合され、ポリマーフィルムの間の管状チャンネルが、順に重ねられた層において互いに平行にまたは垂直に配置されていることを特徴とする、請求項１に記載のフェロエレクトレット多層複合材料。
【請求項５】
チャンネル（３）が両方の終端で開いているか、或いは一方または両方の終端で閉じていることを特徴とする、請求項１に記載のフェロエレクトレット多層複合材料。
【請求項６】
導電被膜が、ポリマーフィルムの外面に少なくとも部分的に適用されていることを特徴とする、請求項１に記載のフェロエレクトレット多層複合材料。
【請求項７】
ａ）第一ポリマーフィルム、第二ポリマーフィルムおよびその間に配置されたマスク層を含有する積重ね層を供給する工程であって、積重ね層の中でマスクが溝によって互いに離れて配置された１つ以上の平行なうねを有し、うねが少なくとも一方の終端で結合されていないかまたは分離可能なように結合され、マスクが一方または両方の終端で積重ね層から突出している、積重ね層を供給する工程、
ｂ）工程ａ）で製造された積重ね層を積層し、ポリマーフィルムを結合してポリマーフィルム複合材料を形成する工程、
ｃ）任意に、一方の終端でマスクのうねを分離する工程、
ｄ）マスクをポリマーフィルム複合材料から引き抜くことによって、マスクをポリマーフィルム複合材料から取り除く工程、
ｅ）工程ｄ）で開通した管状チャンネルの内面を反対電荷で帯電させる工程
を特徴とする、平行管状チャンネルを有するフェロエレクトレット多層複合材料の製造方法。
【請求項８】
工程ｅ）においてチャンネルの内面を帯電させる前および／または後に、ポリマー複合材料の外面に電極を適用することを特徴とする、請求項７に記載の方法。
【請求項９】
マスクのうねが一方の終端で結合されておらず、工程ａ）、ｂ）およびｄ）を連続ロール・ツー・ロール製法として実施することを特徴とする、請求項７に記載に記載の方法。
【請求項１０】
請求項１〜６のいずれかに記載のフェロエレクトレット多層複合材料を含有する圧電素子であって、センサー素子またはアクチュエーター素子であることを特徴とする圧電素子。
【請求項１１】
少なくとも以下の構成要素：
ａ．積層装置、
ｂ．溝によって互いに離れて配置された２つ以上の平行なうねを有するマスクであって、うねが積層装置の内部に少なくとも部分的に配置されているマスク、
ｃ．積重ね層を形成するために、少なくとも１つのポリマーフィルムをマスクの上方に、そして少なくとも１つのポリマーフィルムをマスクの下方に連続供給するための供給装置を各々の場合において１つ以上、および
ｄ．供給装置に面する終端で一緒に結合し、反対端で互いに分離している、マスクのうね
を含むことを特徴とする、請求項７または９に記載の方法を実施するための装置。